【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
ガラス・ゴブからパリソンを成型するために、所定の圧力で加圧媒体源から媒体をシリンダに印加して、該シリンダ内のピストンにより駆動されるプランジャをブランク・モールド内で動作させるシステムであって、
時点ｔ１で開始して時点ｔ４で終了する少なくとも１つのパリソン形成サイクルの間に、前記ブランク・モールド内の前記プランジャの位置を、時間と対応させて監視する位置センサと、
制御システムであって、
監視された前記少なくとも１つのパリソン形成サイクルにおいて、前記プランジャの動きの第１の特性が検出される時点ｔ２を決定し、かつ、前記プランジャの動きの第２の特性が検出される時点ｔ３を決定し、
前記時点ｔ２に基づいて該時点ｔ２より前の時点ｔｐ２を決定し、かつ前記ｔ３に基づいて該ｔ３よりも前の時点ｔｐ３を決定し、
監視された前記少なくとも１つのパリソン形成サイクルの後のパリソン形成サイクルにおいて、前記ブランク・モールドへガラス・ゴブが詰め込まれた後に、前記時点ｔ１から時点ｔｐ２の間に第１の圧力で、前記時点ｔｐ２から時点ｔｐ３の間に第２の圧力で、前記時点ｔｐ３から前記時点ｔ４の間に第３の圧力で、前記加圧媒体源から媒体を前記シリンダに印加する
よう構成されている制御システムと
を備えていることを特徴とするシステム。
【請求項２】
請求項１に記載のシステムにおいて、前記プランジャの動きにおける前記第１の特性は、時間に関して前記プランジャの動きにおいて現れる非線形な動きであり、該非線形な動きは、前記ブランク・モールドの上側部分が前記ガラス・ゴブからのガラスで満たされたことを示すものであることを特徴とするシステム。
【請求項３】
請求項１に記載のシステムにおいて、前記プランジャの動きにおける前記第１の特性は、前記ブランク・モールドの上側部分が前記ガラス・ゴブからのガラスで満たされたことを示すものであることを特徴とするシステム。
【請求項４】
請求項１〜３のいずれか一項に記載のシステムにおいて、前記プランジャの動きにおける前記第２の特性は、前記プランジャの動きに関連する特性が予め選択したレベルより低下したことを含み、該予め選択したレベルより低下したことは、前記ガラス・ゴブからのガラスが前記ブランク・モールド全体に行きわたって前記ブランク・モールドが完全に満たされたことを示すものであることを特徴とするシステム。
【請求項５】
請求項１〜３のいずれか一項に記載のシステムにおいて、前記プランジャの動きにおける前記第２の特性は、前記ガラス・ゴブからのガラスが前記ブランク・モールド全体に行きわたって前記ブランク・モールドが完全に満たされたことを示すものであることを特徴とするシステム。
【請求項６】
請求項１〜５のいずれか一項に記載のシステムにおいて、前記第１の圧力は、前記第２の圧力及び前記第３の圧力よりも大きいことを特徴とするシステム。
【請求項７】
請求項６に記載のシステムにおいて、前記第２の圧力は前記第３の圧力よりも高いことを特徴とするシステム。
【請求項８】
請求項６に記載のシステムにおいて、前記第３の圧力は前記第２の圧力よりも高いことを特徴とするシステム。
【請求項９】
請求項１〜８のいずれか一項に記載のシステムにおいて、前記位置センサは、時点ｔ１で開始して時点ｔ４で終了する各パリソン形成サイクルの間に、前記ブランク・モールド内の前記プランジャの位置を、時間と対応させて監視するよう構成されていることを特徴とするシステム。
【請求項１０】
請求項９に記載のシステムにおいて、前記制御システムはさらに、
監視された複数のパリソン形成サイクルにおける、時間に対しての前記ブランク・モールド内の前記プランジャの動きが非線形となる時点であって、前記プランジャの更なる動きに対する抵抗の増加を示す時点を、前記時点ｔ２として検出し、
監視された前記複数のパリソン形成サイクルそれぞれにおける、時間に対しての前記ブランク・モールド内の前記プランジャの動きが加圧サイクルの終わりを示す最小閾値より下になる時点を、前記時点ｔ３として検出する
よう構成されていることを特徴とするシステム。
【請求項１１】
請求項１０に記載のシステムにおいて、前記制御システムは、監視された前記複数のパリソン形成サイクルにおける前記時点ｔ２の平均を求め、該平均を、これらパリソン形成サイクルに後続するパリソン形成サイクルの前記時点ｔ２とするよう構成されていることを特徴とするシステム。
【請求項１２】
請求項１１に記載のシステムにおいて、監視された前記複数のパリソン形成サイクルの数は８であることを特徴とするシステム。
【請求項１３】
請求項１０〜１２のいずれか一項に記載のシステムにおいて、前記制御システムは、監視された複数のパリソン形成サイクルにおける前記時点ｔ３の平均を求め、該平均を、これらパリソン形成サイクルに後続するパリソン形成サイクルの前記時点ｔ３とするよう構成されていることを特徴とするシステム。
【請求項１４】
請求項１３に記載のシステムにおいて、監視された前記複数のパリソン形成サイクルの数は８であることを特徴とするシステム。
【請求項１５】
請求項１〜１４のいずれか一項に記載のシステムにおいて、前記制御システムは、
前記時点ｔ１から前記時点ｔｐ２の間の期間を、監視された少なくとも１つのパリソン形成サイクルの前記時点ｔ１と前記時点ｔ２との間の期間の第１の所定割合として求め、
前記時点ｔ１から前記時点ｔｐ３の間の期間を、監視された少なくとも１つのパリソン形成サイクルの前記時点ｔ１と前記時点ｔ３との間の期間の第２の所定割合として求める
よう構成されていることを特徴とするシステム。
【請求項１６】
請求項１５に記載のシステムにおいて、前記第１の所定割合は約８０％であることを特徴とするシステム。
【請求項１７】
請求項１５又は１６に記載のシステムにおいて、前記第２の所定割合は約７０％であることを特徴とするシステム。
【請求項１８】
請求項１〜１７のいずれか一項に記載のシステムにおいて、前記制御システムは、前記第２の圧力、又は前記第１の圧力と前記第２の圧力との双方を調節して、前記時点ｔ３と時点ｔ４との間の期間の所定のドエル時間を実現するよう構成されていることを特徴とするシステム。
【請求項１９】
ガラス・ゴブからパリソンを成型するために、加圧媒体源から所定の圧力で媒体をシリンダに印加して該シリンダ内のピストンにより駆動されるプランジャをブランク・モールド内で動作させるシステムであって、
時点ｔ１で開始して時点ｔ４で終了するパリソン形成サイクルの期間中に、前記ブランク・モールド内の前記プランジャの位置を時間と対応させて監視する位置センサと、
制御システムであって、
監視された前記パリソン形成サイクルにおいて、前記プランジャの動きの非線形な動きであって、時点ｔ２で前記ブランク・モールドの上側部分が前記ガラス・ゴブからのガラスで満たされたことを示す非線形な動きを検出し、
監視された前記パリソン形成サイクルにおいて、時点ｔ３で前記プランジャの動きに関連する特徴が予め選択したレベルより低下したことを検出して、前記ガラス・ゴブからのガラスが前記ブランク・モールド全体に行きわたって前記ブランク・モールドが満たされたことを検出し、
前記時点ｔ１から時点ｔｐ２の間の時間を、前記時点ｔ１と前記時点ｔ２との間の時間の第１の所定割合の時間として決定し、
前記時点ｔ１から時点ｔｐ３の間の時間を、前記時点ｔ１と前記時点ｔ３との間の時間の第２の所定割合の時間として決定し、
監視された前記パリソン形成サイクルの後のパリソン形成サイクルにおいて、前記ブランク・モールドへ前記ガラス・ゴブが詰め込まれた後に、前記時点ｔ１から前記時点ｔｐ２の間に第１の圧力を加え、前記時点ｔｐ２から前記時点ｔｐ３の間に第２の圧力を加え、前記時点ｔｐ３から前記時点ｔ４の間に第３の圧力を加える
よう構成されている制御システムと
を備えていることを特徴とするシステム。
【請求項２０】
ガラス・ゴブからパリソンを成型するために、加圧媒体源から所定の圧力で媒体をシリンダに印加して該シリンダ内のピストンにより駆動されるプランジャをブランク・モールド内で動作させるシステムであって、
時点ｔ１で開始して時点ｔ４で終了するパリソン形成サイクルそれぞれの期間中に、前記ブランク・モールド内の前記プランジャの位置を時間と対応させて監視する位置センサと、
制御システムであって、
監視された前記パリソン形成サイクルそれぞれにおいて、前記ブランク・モールドの上側部分が前記ガラス・ゴブからのガラスで満たされたことを示す時点ｔ２を決定し、
監視された前記パリソン形成サイクルそれぞれにおいて、前記ガラス・ゴブからのガラスが前記ブランク・モールド全体に行きわたって前記ブランク・モールドが完全に満たされた時点ｔ３を決定し、
前記時点ｔ１から時点ｔｐ２の間の時間を、１又は複数の以前のパリソン形成サイクルの前記時点ｔ１と前記時点ｔ２との間の時間の第１の所定割合の時間として決定し、
前記時点ｔ１から時点ｔｐ３の間の時間を、1又は複数の以前のパリソン形成サイクルの前記時点ｔ１と前記時点ｔ３との間の時間の第２の所定割合の時間として決定し、
各パリソン形成サイクルにおいて、前記ブランク・モールドへ前記ガラス・ゴブが詰め込まれた後に、前記時点ｔ１から前記時点ｔｐ２の間に第１の圧力を加え、前記時点ｔｐ２から前記時点ｔｐ３の間に第２の圧力を加え、前記時点ｔｐ３から前記時点ｔ４の間に第３の圧力を加える
よう構成されている制御システムと
を備えていることを特徴とするシステム。
【請求項２１】
ガラス・ゴブからパリソンを成型するために、所定の圧力で加圧媒体源から媒体をシリンダに印加して、該シリンダ内のピストンにより駆動されるプランジャをブランク・モールド内で動作させる方法であって、
時点ｔ１で開始して時点ｔ４で終了する少なくとも１つのパリソン形成サイクルの間に、前記ブランク・モールド内の前記プランジャの位置を時間と対応させて監視するステップと、
監視された前記少なくとも１つのパリソン形成サイクルにおいて、前記プランジャの動きの第１の特性を時点ｔ２で検出するステップと、
監視された前記少なくとも１つのパリソン形成サイクにおいて、前記プランジャの動きの第２の特性を時点ｔ３で検出するステップと、
前記時点ｔ２に基づいて、該時点ｔ２よりも前の時点ｔｐ２を決定するステップと、
前記時点ｔ３に基づいて、該時点ｔ３よりも前の時点ｔｐ３を決定するステップと、
前記少なくとも１つのパリソン形成サイクルの後のパリソン形成サイクルにおいて、前記ブランク・モールドへ前記ガラス・ゴブが詰め込まれた後に、前記時点ｔ１から前記時点ｔｐ２の間に第１の圧力を加え、前記時点ｔｐ２から前記時点ｔｐ３の間に第２の圧力を加え、前記時点ｔｐ３から前記時点ｔ４の間に第３の圧力を加えるステップと
を含むことを特徴とする方法。
【請求項２２】
請求項２１に記載の方法において、前記プランジャの動きにおける前記第１の特性は、時間に対応しての前記プランジャの動きにおいて現れる非線形的な動きであって、前記ブランク・モールドの上側部分が前記ガラス・ゴブからのガラスで満たされたことを示すものであることを特徴とする方法。
【請求項２３】
請求項２１又は２２に記載の方法において、前記プランジャの動きにおける前記第２の特性は、前記プランジャの動きに関連する特性が予め選択したレベルより低下することであって、前記ガラス・ゴブからのガラスが前記ブランク・モールド全体に行きわたって前記ブランク・モールドが完全に満たされたことを示すものであることを特徴とする方法。
【請求項２４】
請求項２１〜２３のいずれか一項に記載の方法において、前記第１の圧力は、前記第２の圧力又は前記第３の圧力よりも高いことを特徴とする方法。
【請求項２５】
請求項２１〜２４のいずれか一項に記載の方法において、前記第２の圧力は前記第３の圧力よりも高いことを特徴とする方法。
【請求項２６】
請求項２１〜２４のいずれか一項に記載の方法において、前記第３の圧力は前記第２の圧力よりも高いことを特徴とする方法。
【請求項２７】
請求項２１〜２６のいずれか一項に記載の方法において、該方法はさらに、
複数のパリソン形成サイクルにおける時間に対応しての前記ブランク・モールド内の前記プランジャの動きが非線形となる時点を前記時点ｔ２として特定するステップであって、前記非線形な動きは、前記プランジャの更なる動きに対する抵抗の増加を示すものである、ステップと、
複数のパリソン形成サイクルにおける時間に対応しての前記ブランク・モールド内の前記プランジャの動きが加圧サイクルの終わりを示す最小閾値より下になる時点を前記時点ｔ３として特定するステップと
を含んでいることを特徴とする方法。
【請求項２８】
請求項２７に記載の方法において、該方法はさらに、前記複数のパリソン形成サイクルそれぞれにおける前記時点ｔ２の平均を求めて、これら複数のパリソン形成サイクルの後のパリソン形成サイクルの前記時点ｔ２として決定するステップを含んでいることを特徴とする方法。
【請求項２９】
請求項２８に記載の方法において、前記複数のパリソン形成サイクルは、８個のパリソン形成サイクルであることを特徴とする方法。
【請求項３０】
請求項２７に記載の方法において、該方法はさらに、前記複数のパリソン形成サイクルそれぞれにおける前記時点ｔ３の平均を求めて、これら複数のパリソン形成サイクルの後のパリソン形成サイクルの前記時点ｔ３として決定するステップを含んでいることを特徴とする方法。
【請求項３１】
請求項３０に記載の方法において、前記複数のパリソン形成サイクルは、８個のパリソン形成サイクルであることを特徴とする方法。
【請求項３２】
請求項２１〜３１のいずれか一項に記載の方法において、該方法はさらに、前記第２の圧力、又は前記第１の圧力と前記第２の圧力との双方を調節して、前記時点ｔ３と前記時点ｔ４との間の時間の所望のドエル時間を実現するステップを含んでいることを特徴とする方法。
【請求項３３】
請求項２１〜３２のいずれか一項に記載の方法において、前記時点ｔ１から時点ｔｐ２の間の時間は、前記時点ｔ１と前記時点ｔ２との間の時間に基づいている時間の第１の所定割合の時間であり、前記時点ｔ１から時点ｔｐ３の間の時間は、前記時点ｔ１と前記時点ｔ３との間の時間に基づいている時間の第２の所定割合の時間であることを特徴とする方法。
【請求項３４】
請求項３３に記載の方法において、前記第１の所定割合は、８０％であることを特徴とする方法。
【請求項３５】
請求項３３又は３４に記載の方法において、前記第２の所定割合は、７０％であることを特徴とする方法。
【請求項３６】
ガラス・ゴブからパリソンを成型するために、加圧媒体源から所定の圧力で媒体をシリンダに印加して該シリンダ内のピストンにより駆動されるプランジャをブランク・モールド内で動作させる方法であって、
時点ｔ１で開始して時点ｔ４で終了するパリソン形成サイクルの間に、前記ブランク・モールド内の前記プランジャの位置を時間と対応させて監視するステップと、
監視された前記パリソン形成サイクルにおいて、時間に対応する前記プランジャの動きであって、前記ブランク・モールドの上側部分が前記ガラス・ゴブからのガラスで満たされたことを示す非線形の動きを、時点ｔ２で検出するステップと、
監視された前記パリソン形成サイクルにおいて、前記プランジャの動きに関連する特徴が所定のレベルより低下したことを時点ｔ３で検出するステップであって、該特徴が所定のレベルより低下したことは、前記ガラス・ゴブを基にしたガラスが前記ブランク・モールド全体に行きわたって前記ブランク・モールドが完全に満たされたことを示すものである、ステップと、
監視された前記パリソン形成サイクルの後のパリソン形成サイクルにおいて、前記ブランク・モールドへ前記ガラス・ゴブが詰め込まれた後に、前記時点ｔ１から時点ｔｐ２の間に第１の圧力を加え、前記時点ｔｐ２から時点ｔｐ３の間に第２の圧力を加え、前記時点ｔｐ３から前記時点ｔ４の間に第３の圧力を加えるステップと
を含み、
前記時点ｔ１から前記時点ｔｐ２の間の時間は、前記時点ｔ１と前記時点ｔ２との間の時間の第１の所定割合の時間であり、
前記時点ｔ１から前記時点ｔｐ３の間の時間は、前記時点ｔ１と前記時点ｔ３との間の時間の第２の所定割合の時間である
ことを特徴とする方法。
【請求項３７】
ガラス・ゴブからパリソンを成型するために、加圧媒体源から所定の圧力で媒体をシリンダに印加して該シリンダ内のピストンにより駆動されるプランジャをブランク・モールド内で動作させる方法であって、
それぞれが時点ｔ１で開始して時点ｔ４で終了する複数のパリソン形成サイクルの間に、前記ブランク・モールド内の前記プランジャの位置を時間と対応させて監視するステップと、
監視された前記複数のパリソン形成サイクルぞれぞれにおいて、前記ブランク・モールドの上側部分が前記ガラス・ゴブを基にしたガラスで満たされ時点である時点ｔ２を決定するステップと、
監視された前記複数のパリソン形成サイクルそれぞれにおいて、前記ガラス・ゴブからのガラスが前記ブランク・モールド全体に行きわたって前記ブランク・モールドが完全に満たされた時点である時点ｔ３を決定するステップと、
各パリソン形成サイクルにおいて、前記ブランク・モールドへ前記ガラス・ゴブが詰め込まれた後に、前記時点ｔ１から時点ｔｐ２の間に第１の圧力を加え、前記時点ｔｐ２から時点ｔｐ３の間に第２の圧力を加え、前記時点ｔｐ３から前記時点ｔ４の間に第３の圧力を加えるステップと
を含み、
前記時点ｔ１から前記時点ｔｐ２の間の時間は、１又は複数の以前のパリソン形成サイクルの前記時点ｔ１と前記時点ｔ２との間の時間に基づく時間の第１の所定割合の時間であり、
前記時点ｔ１から前記時点ｔｐ３の間の時間は、１又は複数の以前のパリソン形成サイクルの前記時点ｔ１と前記時点ｔ３との間の時間に基づく時間の第２の所定割合の時間である
ことを特徴とする方法。